(57)【要約】【課題】携帯用電子機器などに内蔵されて用いられる小型のアンテナに関し、基体にアンテナエレメントを固定する作業が容易で、効率的な生産を行うことができるものを提供することを目的とする。【解決手段】アンテナエレメント１２の帯状先端部１２Ｄの先端は２ヶ所の角部が面取り加工され、帯状の幅の中央位置に矩形の係止孔１２Ｃが設けられている。そして、帯状先端部１２Ｄに対応する基体１１の台座部１１Ｄには、帯状先端部１２Ｄの板状の幅および厚みより僅かに大きい寸法となる挿入孔１３Ａが形成されるように、台座部１１Ｄの表面からコ字状のアーチ状突起１３が設けられ、そのアーチ状突起１３の挿入孔１３Ａ側の内面に、上記係止孔１２Ｃに対応した係止突起１３Ｂを突設して構成した。【選択図】図１
2009021754.tif 000002
【特許請求の範囲】
【請求項１】
金属薄板からなるアンテナエレメントが樹脂製の基体の対向する表面どうしの間に繋がって取り付けられて構成されるアンテナであって、上記基体の一方の表面に取り付けられる上記アンテナエレメントの端部が、帯状で先端部に係止孔が設けられており、その帯状先端部が取り付けられる上記基体の表面に、上記帯状先端部がその表面に平行な方向から挿入可能な挿入孔を備えたアーチ状突起が設けられると共に、そのアーチ状突起の挿入孔側表面に、上記アンテナエレメントの係止孔に嵌まる係止突起が設けられて、上記帯状先端部が上記挿入孔に挿入された際に、上記係止突起が上記係止孔に嵌まって上記基体に固定されるように構成したことを特徴とするアンテナ。
【発明の詳細な説明】
【技術分野】
【０００１】
本発明は、携帯電話機に代表される各種通信機器に内蔵されて用いられる小型のアンテナに関するものである。
【背景技術】
【０００２】
携帯電話機に代表されるような各種通信機器に内蔵される従来のアンテナについて、図７〜図１１を用いて説明する。
【０００３】
図７は従来のアンテナの上方からの斜視図、図８は同下方からの斜視図、図９は基体の下方からの斜視図、図１０はアンテナエレメントの下方からの斜視図、図１１は図７内のＢ−Ｂ線における断面図である。
【０００４】
同図において、１は下面開口の箱型形状に形成された絶縁樹脂製の基体で、２は金属薄板からなるアンテナエレメントである。
【０００５】
基体１には、アンテナエレメント２が固定されており、上面１Ａに６ヶ所と下面の開口部内に配設された台座部１Ｄに１ヶ所のカシメ用突起１Ｂが設けられている。
【０００６】
そして、アンテナエレメント２の本体部２Ａは、所定の共振周波数特性を備えるように一平面内にレイアウトされており、６ヶ所のカシメ用孔２Ｂに挿通された基体１上面１Ａのカシメ用突起１Ｂが潰しかしめされて固定されている。また、図示しない電子機器の回路と電気的に接続する部分として、基体１上面１Ａに固定されたアンテナエレメント２本体部２Ａの端部から帯状に延設された帯状先端部２Ｃが、基体１の側壁１Ｃを経由して下面に設けられた台座部１Ｄに至り、先端に設けられたカシメ用孔２Ｂに挿通されたカシメ用突起１Ｂが潰しかしめされて固定されている。つまり、図１０に示すようにアンテナエレメント２の帯状先端部２Ｃは、本体部２Ａを構成する一平面からＬ字状に設けられている。
【０００７】
このように構成されたアンテナの製造方法は、まず、図９に示す基体１の側方から図１０に示すアンテナエレメント２を近づけて、帯状先端部２Ｃのカシメ用孔２Ｂを基体１の台座部１Ｄのカシメ用突起１Ｂに嵌め込み、次に、アンテナエレメント２本体部２Ａの６ヶ所のカシメ用孔２Ｂを基体１上面１Ａのカシメ用突起１Ｂに嵌め込む。これにより、アンテナエレメント２が基体１から外れないように仮固定状態とする。そして、基体１の上面１Ａおよび台座部１Ｄそれぞれのカシメ用突起１Ｂを潰しかしめしてアンテナエレメント２を基体１に固定するものであった。
【０００８】
なお、この出願の発明に関連する先行技術文献情報としては、例えば、特許文献１が知られている。
【特許文献１】特開２００２−３４４２３３号公報
【発明の開示】
【発明が解決しようとする課題】
【０００９】
しかしながら上記従来のアンテナにおいては、図１１の断面図に示すように、基体１の上面１Ａと下面開口側の台座部１Ｄとに設けたカシメ用突起１Ｂを潰しかしめすることで、アンテナエレメント２をその表面に固定しているが、上面１Ａ６ヶ所のカシメ用突起１Ｂと台座部１Ｄ１ヶ所のカシメ用突起１Ｂを同時に潰しかしめすると、カシメ用突起１Ｂの本数の差により、全体をバランスよく潰しかしめするにはカシメ設備の微妙な調整が必要であり、またカシメ加工速度を速くすることが難しいため、効率的な生産を阻害しているという課題があった。
【００１０】
本発明は、このような従来の課題を解決するものであり、基体にアンテナエレメントを固定する作業が容易で、効率的な生産を行うことができるアンテナを提供することを目的とする。
【課題を解決するための手段】
【００１１】
上記目的を達成するために本発明は、以下の構成を有するものである。
【００１２】
本発明の請求項１に記載の発明は、金属薄板からなるアンテナエレメントが樹脂製の基体の対向する表面どうしの間に繋がって取り付けられて構成されるアンテナであって、上記基体の一方の表面に取り付けられる上記アンテナエレメントの端部が、帯状で先端部に係止孔が設けられており、その帯状先端部が取り付けられる上記基体の表面に、上記帯状先端部がその表面に平行な方向から挿入可能な挿入孔を備えたアーチ状突起が設けられると共に、そのアーチ状突起の挿入孔側表面に、上記アンテナエレメントの係止孔に嵌まる係止突起が設けられて、上記帯状先端部が上記挿入孔に挿入された際に、上記係止突起が上記係止孔に嵌まって上記基体に固定されるように構成したことを特徴とするアンテナとしたものであり、帯状先端部を挿入孔に挿入するだけで固定されるため、基体の一つの表面のカシメ用突起を潰しかしめすればアンテナエレメントを基体に固定することができるので、効率的な生産を行うことができるアンテナを提供できるという作用を有する。
【発明の効果】
【００１３】
以上のように本発明によれば、基体の対向する表面に配設されるアンテナエレメントで、基体の一方の表面に取り付けられる帯状先端部に係止孔を設け、その帯状先端部が挿入される挿入孔を構成する表面に係止突起を備えたことにより、基体の対向する表面に配設されるアンテナエレメントを容易に基体に固定できるため、効率的な生産を行うことができるという有利な効果が得られる。
【発明を実施するための最良の形態】
【００１４】
以下、本発明の実施の形態について、図１〜図６を用いて説明する。
【００１５】
（実施の形態）
図１は本発明の一実施の形態によるアンテナの図２内のＡ−Ａ線における断面図、図２は同アンテナの上方からの斜視図、図３はアンテナの下方からの斜視図、図４はアンテナエレメントの下方からの斜視図、図５は基体の上面図、図６は基体の下方からの斜視図である。
【００１６】
同図において、１１は下面開口の箱型形状に形成された絶縁樹脂製の基体で、１２は金属薄板からなるアンテナエレメントである。基体１１の上面１１Ａに設けられた６ヶ所のカシメ用突起１１Ｂが潰しかしめされて、アンテナエレメント１２の本体部１２Ａが固定されている。このアンテナエレメント１２の本体部１２Ａは、基体１１の上面１１Ａ内で所定の共振周波数特性を備えるようにレイアウトされており、カシメ用突起１１Ｂの位置に対応した６ヶ所にカシメ用孔１２Ｂが設けられている。
【００１７】
また、アンテナエレメント１２は、図示しない電子機器の回路と電気的に接続する部分として、図４に示すように、本体部１２Ａの端部から帯状に延設された帯状先端部１２Ｄを備え、その帯状先端部１２Ｄは、基体１１の側壁１１Ｃを経由して、基体１１における下面開口の天面から突設されて下面開口部内に配された台座部１１Ｄに固定されている。
【００１８】
このアンテナエレメント１２の帯状先端部１２Ｄは、本体部１２Ａに直交するように折り曲げられ、箱状の基体１１の高さに合わせた位置からさらに直角に折り曲げられて、本体部１２Ａと対面しており、その先端は２ヶ所の角部が面取り加工されると共に帯状の幅の中央位置に矩形の係止孔１２Ｃが設けられている。
【００１９】
そして、この帯状先端部１２Ｄに対応する基体１１の台座部１１Ｄには、図１、図３に示すように、帯状先端部１２Ｄが挿入可能なように、帯状先端部１２Ｄの板状の幅および厚みより僅かに大きい寸法となる挿入孔１３Ａが形成されるようにして台座部１１Ｄの表面から下方にコ字状で突出するアーチ状突起１３が設けられている。
【００２０】
そして、このアーチ状突起１３の挿入孔１３Ａ側の内面には、図１、図５に示すように、帯状先端部１２Ｄの係止孔１２Ｃに対応した係止突起１３Ｂが突設されている。この係止突起１３Ｂは、矩形の係止孔１２Ｃに嵌まり込むように同様の矩形をしているが、帯状先端部１２Ｄが滑らかに挿入できるように、その挿入側が傾斜面として形成されている。
【００２１】
なお、本実施の形態によるものでは、基体１１を樹脂成形で形成していることから、アーチ状突起１３を形成するために基体１１の上面１１Ａから台座部１１Ｄまで貫通孔１１Ｅを設けたものとしている。このように、基体１１において貫通孔１１Ｅを設けたものとすれば、係止突起１３Ｂ付のアーチ状突起１３を簡素な金型で形成することができ好ましい。
【００２２】
以上のように構成されたアンテナの製造方法は、まず、図６に示す基体１１の側方から図４に示すアンテナエレメント１２を近づけて、帯状先端部１２Ｄを基体１１の台座部１１Ｄの表面に平行な方向から滑らすようにして、帯状先端部１２Ｄの先端を挿入孔１３Ａ内に挿入していく。このとき、帯状先端部１２Ｄの先端角部に面取りを設けているため、挿入孔１３Ａへの案内として作用して、挿入作業性が良い。
【００２３】
そして、さらに挿入すると、帯状先端部１２Ｄが係止突起１３Ｂの傾斜面により曲がりながら滑らかに係止突起１３Ｂを乗り上げていき、先端が係止突起１３Ｂを乗り越えて、係止孔１２Ｃの位置と係止突起１３Ｂとの位置が合うと、曲げ弾性が作用して係止孔１２Ｃ内に係止突起１３Ｂが嵌まり込み、挿入孔１３Ａ内で帯状先端部１２Ｄが曲げのない平板状となって収まる。この状態で、帯状先端部１２Ｄは、図１に示すように、挿入孔１３Ａから抜き戻すことができない状態に固定される。
【００２４】
そして、基体１１上面１１Ａのカシメ用突起１１Ｂにアンテナエレメント１２本体部１２Ａのカシメ用孔１２Ｂを嵌め込み、６ヶ所のカシメ用突起１１Ｂを潰しかしめしてアンテナエレメント１２を基体１１に固定するものである。
【００２５】
なお、帯状先端部１２Ｄの係止孔１２Ｃ内に係止突起１３Ｂが嵌まり込んだ直後に、基体１１上面１１Ａのカシメ用突起１１Ｂが本体部１２Ａのカシメ用孔１２Ｂに嵌まり込むので、基体１１へのアンテナエレメント１２の組み合わせは、ほとんど同時になされる。
【００２６】
そして、このアンテナエレメント１２が組み合わされた基体１１上面１１Ａの６ヶ所のカシメ用突起１１Ｂを同時に潰しかしめして、アンテナが製造される。
【００２７】
なお、本実施の形態では、アーチ状突起１３に対応した基体１１の上面１１Ａから台座部１１Ｄまでに貫通孔１１Ｅを設けているものを例として説明したが、それ以外にも、帯状先端部１２Ｄが係止突起１３Ｂを乗り越える際に台座部１１Ｄとの間で圧入状態にならないように、台座部１１Ｄやアーチ状突起１３の形状を設定したものとすれば、作業性よく滑らかに帯状先端部１２Ｄの挿入が行えて、係止孔１２Ｃを係止突起１３Ｂに嵌め込むことが可能なものにできる。なお、係止突起１３Ｂ付きのアーチ状突起１３を形成するために複数部品を組み合わせたものとしてもよい。
【００２８】
このように本実施の形態によれば、一つの繋がったアンテナエレメント１２が基体１１の対向する面のそれぞれに固定されて構成されるアンテナにおいて、アンテナエレメント１２の基体１１への組合せが容易で、かつ基体１１上面１１Ａのみでカシメ用突起１１Ｂを潰しカシメするだけでアンテナエレメント１２を基体１１へ固定できるものにでき、このためアンテナの生産を効率的に行うことができるものとして実現できる。
【産業上の利用可能性】
【００２９】
本発明によるアンテナは、基体の対向する表面に配設されるアンテナエレメントを容易に固定できるため、効率的な生産を行うことができるという特徴を有し、携帯電話機に代表される通信機器等に有用である。
【図面の簡単な説明】
【００３０】
【図１】本発明の一実施の形態によるアンテナの図２内のＡ−Ａ線における断面図
【図２】同アンテナの上方からの斜視図
【図３】同アンテナの上方からの斜視図
【図４】アンテナエレメントの下方からの斜視図
【図５】基体の上面図
【図６】基体の下方からの斜視図
【図７】従来のアンテナの上方からの斜視図
【図８】同下方からの斜視図
【図９】基体の下方からの斜視図
【図１０】アンテナエレメントの下方からの斜視図
【図１１】図７内のＢ−Ｂ線における断面図
【符号の説明】
【００３１】
１１  基体
１１Ａ  上面
１１Ｂ  カシメ用突起
１１Ｃ  側壁
１１Ｄ  台座部
１１Ｅ  貫通孔
１２  アンテナエレメント
１２Ａ  本体部
１２Ｂ  カシメ用孔
１２Ｃ  係止孔
１２Ｄ  帯状先端部
１３  アーチ状突起
１３Ａ  挿入孔
１３Ｂ  係止突起
【図１】
2009021754.tif 000003
【図２】
2009021754.tif 000004
【図３】
2009021754.tif 000005
【図４】
2009021754.tif 000006
【図５】
2009021754.tif 000007
【図６】
2009021754.tif 000008
【図７】
2009021754.tif 000009
【図８】
2009021754.tif 000010
【図９】
2009021754.tif 000011
【図１０】
2009021754.tif 000012
【図１１】
2009021754.tif 000013